(57)【要約】【課題】有機層から発せられた光を新規な構造で伝搬する。【解決手段】導波路３００は、第１電極１１０、有機層１２０及び第２電極１３０の積層構造と第２反射部２１４の間に位置している。導波路３００は、複数の層、すなわち、コア層３１０（第１層）、クラッド層３２２（第２層）及びクラッド層３２４（第３層）を含んでいる。コア層３１０は、第１屈折率を有している。クラッド層３２２は、第１屈折率より低い屈折率を有している。クラッド層３２４は、第１屈折率より低い屈折率を有している。コア層３１０は、クラッド層３２２とクラッド層３２４の間にある。【選択図】図１６
2019079732.tif 000002
【特許請求の範囲】
【請求項１】
第１反射部と、
第２反射部と、
前記第１反射部と前記第２反射部の間にあって、発光層を含む有機層と、
前記有機層と前記第１反射部の間及び前記有機層と前記第２反射部の間の少なくとも一方に位置する導波路と、
を備える発光装置。
【請求項２】
請求項１に記載の発光装置において、
前記導波路は、複数の層を含む発光装置。
【請求項３】
請求項２に記載の発光装置において、
前記複数の層は、第１屈折率を有する第１層と、前記第１屈折率より低い屈折率を有する第２層と、前記第１屈折率より低い屈折率を有する第３層と、を含み、
前記第１層は、前記第２層と前記第３層の間にある発光装置。
【請求項４】
請求項１から３までのいずれか一項に記載の発光装置において、
前記第１反射部から前記第２反射部にかけて位置する第３反射部を備え、
前記導波路は、第１方向を向いた第１端部を有し、
前記第３反射部は、前記導波路の前記第１端部を覆っていない発光装置。
【発明の詳細な説明】
【技術分野】
【０００１】
本発明は、発光装置に関する。
【背景技術】
【０００２】
近年、発光装置として、透光性を有する有機発光ダイオード（ＯＬＥＤ）が開発されている。特許文献１には、透光性を有するＯＬＥＤの一例について記載されている。このＯＬＥＤは、第１電極、有機層及び複数の第２電極を有している。複数の第２電極は、ストライプ状に並んでおり、光反射性を有している。各第２電極と重なる領域は発光部となり、隣り合う第２電極の間の領域は透光部となる。透光部によって、ＯＬＥＤは、透光性を有している。
【０００３】
特許文献２には、ＯＬＥＤの一例について記載されている。ＯＬＥＤは、有機層を有しており、有機層の端部から光が発せられる。有機層の端部の近傍には、光学体が配置されている。有機層の端部から発せられた光は、光学体によって反射されて、ＯＬＥＤの高さ方向（有機層の厚さ方向）に沿って伝搬される。
【０００４】
特許文献３には、ＯＬＥＤの一例について記載されている。ＯＬＥＤは、光閉じ込め層、第１電極、有機層及び第２電極を含む積層構造を有している。有機層から発せられた光は、光閉じ込め層によって積層構造の端部に向けて伝搬され、積層構造の端部から出射される。
【先行技術文献】
【特許文献】
【０００５】
【特許文献１】特開２０１３−１４９３７６号公報
【特許文献２】特開２０１４−１３５１８３号公報
【特許文献３】特開２００８−４１３７３号公報
【発明の概要】
【発明が解決しようとする課題】
【０００６】
本発明者は、有機層から発せられた光を新規な構造で伝搬することを検討した。
【０００７】
本発明が解決しようとする課題としては、有機層から発せられた光を新規な構造で伝搬することが一例として挙げられる。
【課題を解決するための手段】
【０００８】
請求項１に記載の発明は、
第１反射部と、
第２反射部と、
前記第１反射部と前記第２反射部の間にあって、発光層を含む有機層と、
前記有機層と前記第１反射部の間及び前記有機層と前記第２反射部の間の少なくとも一方に位置する導波路と、
を備える発光装置である。
【図面の簡単な説明】
【０００９】
【図１】実施形態に係る発光装置を示す平面図である。
【図２】図１のＡ−Ａ断面図である。
【図３】図１のＢ−Ｂ断面図である。
【図４】図２に示した発光装置の動作の一例を説明するための図である。
【図５】図１から図３に示した発光装置の製造方法の一例を説明するための図である。
【図６】図２に示した発光装置の使用方法の一例を説明するための図である。
【図７】図２の第１の変形例を示す図である。
【図８】図７に示した発光装置の使用方法の一例を説明するための図である。
【図９】図２の第２の変形例を示す図である。
【図１０】図９に示した発光装置の使用方法の一例を説明するための図である。
【図１１】複数の発光部の平面レイアウトの第１例を示す図である。
【図１２】複数の発光部の平面レイアウトの第２例を示す図である。
【図１３】複数の発光部の平面レイアウトの第３例を示す図である。
【図１４】発光部、第１反射部及び第２反射部の詳細の第１例を説明するための図である。
【図１５】発光部、第１反射部及び第２反射部の詳細の第２例を説明するための図である。
【図１６】発光部、第１反射部及び第２反射部の詳細の第３例を説明するための図である。
【図１７】発光部、第１反射部及び第２反射部の詳細の第４例を説明するための図である。
【図１８】第３反射部の詳細の一例を説明するための図である。
【図１９】第３反射部の第１部分の詳細の一例を説明するための図である。
【図２０】隣り合う基板の間の構造の詳細の第１例を説明するための図である。
【図２１】隣り合う基板の間の構造の詳細の第２例を説明するための図である。
【図２２】図１の第１の変形例を示す図である。
【図２３】図１の第２の変形例を示す図である。
【図２４】図１の第３の変形例を示す図である。
【図２５】図１の第４の変形例を示す図である。
【図２６】図２５に示した発光部材の使用方法の一例を説明するための図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置２０を示す平面図である。図２は、図１のＡ−Ａ断面図である。図３は、図１のＢ−Ｂ断面図である。
【００１２】
図２を用いて、発光装置２０の概要を説明する。発光装置２０は、複数の発光部材１０を備えている。複数の発光部材１０は、発光部材１０ａ及び発光部材１０ｂを含んでいる。発光部材１０ａは、基板１００（第１基板）、発光部１４２、第１反射部２１２、第２反射部２１４及び第３反射部２１６を備えている。発光部材１０ｂは、基板１００（第２基板）を備えている。発光部材１０ａの基板１００及び発光部材１０ｂの基板１００は、透光性を有している。発光部材１０ａの発光部１４２は、発光部材１０ａの基板１００と発光部材１０ｂの基板１００の間にある。発光部材１０ａの発光部１４２は、発光層（ＥＭＬ）を含む有機層を有している。発光部材１０ａの第１反射部２１２は、発光部材１０ａの発光部１４２と発光部材１０ａの基板１００の間にある。発光部材１０ａの第２反射部２１４は、発光部材１０ａの発光部１４２と発光部材１０ｂの基板１００の間にある。発光部材１０ａの第３反射部２１６は、発光部材１０ａの第１反射部２１２から発光部材１０ａの第２反射部２１４にかけて位置している。発光部材１０ａの発光部１４２は、第１端部１４２ａを有しており、第１端部１４２ａは、第１方向（Ｘ方向）を向いている。発光部材１０ａの第３反射部２１６は、発光部材１０ａの発光部１４２の第１端部１４２ａを覆っていない。ここでは発光部材１０ａ及び発光部材１０ｂの組について説明したが、その他の組（発光部材１０ｂ及び発光部材１０ｃの組並びに発光部材１０ｃ及び発光部材１０ｄの組）も、発光部材１０ａ及び発光部材１０ｂの組と同様の構成を有している。
【００１３】
上述した構成によれば、透光性を有するＯＬＥＤが実現される。具体的には、上述した構成においては、発光部１４２から発せられた光は、第１反射部２１２、第２反射部２１４及び第３反射部２１６によって第１端部１４２ａに向けて伝搬され、第１端部１４２ａから出射させる。さらに、発光装置２０の外部からの光は、基板１００を透過する。つまり、基板１００は、透光部１４４となる。したがって、発光装置２０では、第１方向（Ｘ方向）に交わる方向（Ｚ方向）において、複数の発光部１４２及び複数の透光部１４４が交互に並んでいる。発光装置２０は、複数の透光部１４４（複数の基板１００）によって透光性を有している。
【００１４】
図１を用いて、発光装置２０の平面レイアウトの詳細を説明する。
【００１５】
基板１００は、第１端面１０６ａ（第１辺）、第２端面１０６ｂ（第２辺）、第３端面１０６ｃ（第３辺）及び第４端面１０６ｄ（第４辺）を有している。第１端面１０６ａは、発光部１４２の第１端部１４２ａと同じ側に位置しており、第１方向（Ｘ方向）を向いている。第２端面１０６ｂは、第１端面１０６ａの反対側にある。第３端面１０６ｃは、第１端面１０６ａと第２端面１０６ｂの間にある。第４端面１０６ｄは、第３端面１０６ｃの反対側にある。
【００１６】
発光部１４２は、第１端部１４２ａ（第１辺）、第２端部１４２ｂ（第２辺）、第３端部１４２ｃ（第３辺）及び第４端部１４２ｄ（第４辺）を有している。第１端部１４２ａは、第１方向（Ｘ方向）を向いている。第２端部１４２ｂは、第１端部１４２ａの反対側にある。第３端部１４２ｃは、第１端部１４２ａと第２端部１４２ｂの間にある。第４端部１４２ｄは、第３端部１４２ｃの反対側にある。第３端部１４２ｃの方が第４端部１４２ｄよりも基板１００の第３端面１０６ｃの近くにあり、図１に示す例では、第３端部１４２ｃは、基板１００の第３端面１０６ｃに沿っている。第４端部１４２ｄの方が第３端部１４２ｃよりも基板１００の第４端面１０６ｄの近くにあり、図１に示す例では、第４端部１４２ｄは、基板１００の第４端面１０６ｄに沿っている。
【００１７】
第３反射部２１６は、第１部分２１６ａ、第２部分２１６ｂ及び第３部分２１６ｃを有している。第１部分２１６ａは、発光部１４２の第２端部１４２ｂに沿って延伸している。第２部分２１６ｂは、発光部１４２の第３端部１４２ｃに沿って延伸している。第３部分２１６ｃは、発光部１４２の第４端部１４２ｄに沿って延伸している。第３反射部２１６は、発光部１４２の第１端部１４２ａに沿って延伸する部分を含んでいない。言い換えると、第３反射部２１６は、発光部１４２の第１端部１４２ａを露出するように発光部１４２を囲んでいる。
【００１８】
第３反射部２１６の第１部分２１６ａ、第２部分２１６ｂ及び第３部分２１６ｃは、それぞれ、反射面２３２、反射面２３４及び反射面２３６を有している。反射面２３２、反射面２３４及び反射面２３６は、それぞれ、発光部１４２の第２端部１４２ｂ、第３端部１４２ｃ及び第４端部１４２ｄを覆っている。図１に示す例では、反射面２３２及び反射面２３４は、互いに直交しており、反射面２３２及び反射面２３６は、互いに直交している。
【００１９】
図２を用いて、発光装置２０の断面構造の詳細を説明する。
【００２０】
発光装置２０は、複数の発光部材１０を備えている。複数の発光部材１０のそれぞれは、基板１００、発光部１４２、第１反射部２１２、第２反射部２１４及び第３反射部２１６を備えている。複数の発光部材１０は、第１方向（Ｘ方向）に交わる方向（Ｚ方向）に積み重ねられている。
【００２１】
基板１００は、透光性を有する材料からなっている。透光性を有する材料は、例えば、ガラス又は樹脂（例えば、ＰＥＮ（ポリエチレンナフタレート）、ＰＥＳ（ポリエーテルサルホン）、ＰＥＴ（ポリエチレンテレフタラート）又はポリイミド）である。
【００２２】
基板１００は、第１面１０２及び第２面１０４を有している。各発光部材１０では、発光部１４２、第１反射部２１２、第２反射部２１４及び第３反射部２１６は、基板１００の第１面１０２側に位置している。第２面１０４は、第１面１０２の反対側にある。隣り合う基板１００は、一方の基板１００の第１面１０２が発光部１４２を挟んでもう一方の基板１００の第２面１０４と対向するように互いに接合されている。隣り合う基板１００は、例えば接着剤を介して、互いに接合させることができる。
【００２３】
発光部１４２は、第１端部１４２ａ、第２端部１４２ｂ、面１４２ｅ及び面１４２ｆを有している。第１端部１４２ａは、第１反射部２１２、第２反射部２１４及び第３反射部２１６によって覆われていない。第２端部１４２ｂは、第３反射部２１６の第１部分２１６ａに覆われている。面１４２ｅは、基板１００の第１面１０２と対向しており、第１反射部２１２に覆われている。面１４２ｆは、面１４２ｅの反対側にあって基板１００の第１面１０２と対向しており、第２反射部２１４に覆われている。したがって、発光部１４２から発せられた光が面１４２ｅ、面１４２ｆ及び第２端部１４２ｂから漏れることを防ぐことができる。したがって、発光部１４２から発せられた光を第１端部１４２ａに向けて伝搬させることができる。
【００２４】
発光装置２０は、隣り合う基板１００の間に放熱部材（例えば、図２０を用いて後述する箔４３０）を備えていてもよい。放熱部材は、熱伝導率の高い材料（例えば、熱伝導率が２５℃で１００Ｗ／（ｍ・Ｋ）以上の材料）からなり、例えば、金属箔（例えば、Ａｌ箔）である。発光部１４２から発生する熱を放熱部材によって発光装置２０の外部に向けて放出させることができる。
【００２５】
図３を用いて、発光装置２０の断面構造の詳細をさらに説明する。
【００２６】
発光部１４２の面１４２ｅ、面１４２ｆ、第３端部１４２ｃ及び第４端部１４２ｄは、それぞれ、第１反射部２１２、第２反射部２１４、第３反射部２１６の第２部分２１６ｂ及び第３反射部２１６の第３部分２１６ｃに覆われている。したがって、発光部１４２から発せられた光が面１４２ｅ、面１４２ｆ、第３端部１４２ｃ及び第４端部１４２ｄから漏れることを防ぐことができる。したがって、発光部１４２から発せられた光を第１端部１４２ａ（図２）に向けて伝搬させることができる。
【００２７】
図４は、図２に示した発光装置２０の動作の一例を説明するための図である。
【００２８】
図４内の黒矢印で示すように、発光部１４２から発せられた光は、第１反射部２１２、第２反射部２１４及び第１部分２１６ａによって第１端部１４２ａに向けて伝搬され、第１端部１４２ａから出射される。複数の発光部１４２から発せられる光の色は、同一であってもよいし、又は異なっていてもよい。
【００２９】
図４内の白矢印で示すように、発光装置２０の外部からの光は、基板１００（透光部１４４）を透過する。したがって、発光装置２０では、第１方向（Ｘ方向）に交わる方向（Ｚ方向）において、複数の発光部１４２及び複数の透光部１４４が交互に並んでいる。発光装置２０は、複数の透光部１４４（複数の基板１００）によって透光性を有している。
【００３０】
図４に示す例によれば、発光部１４２から発せられた光を高効率で発光部１４２の第１端部１４２ａから出射させることができる。具体的には、図４に示す例においては、発光部１４２の第１端部１４２ａから出射される光は、発光部１４２の第１端部１４２ａに小さい入射角で入射する。したがって、発光部１４２の第１端部１４２ａにおける全反射を抑えることができる。したがって、発光部１４２から発せられた光を高効率で発光部１４２の第１端部１４２ａから出射させることができる。
【００３１】
図４に示す例によれば、発光部１４２に流れる電流密度が小さくても、発光部１４２の第１端部１４２ａから高輝度の光を発することができる。具体的には、図４に示す例においては、隣り合う基板１００の間において、アノード及びカソードの一方（第１電極）を発光部１４２と基板１００の第１面１０２の間に設け、アノード及びカソードのもう一方（第２電極）を発光部１４２と基板１００の第２面１０４の間に設けることができる。つまり、発光部１４２を流れる電流は、第１方向（Ｘ方向：発光部１４２から発せられる光の伝搬方向）に交わる方向（Ｚ方向）に流れる。したがって、発光部１４２に流れる電流密度が小さくても、発光部１４２の第１端部１４２ａから高輝度の光を発することができる。
【００３２】
図４に示す例によれば、発光部１４２の寿命を長くすることができる。具体的には、上述したように、図４に示す例においては、発光部１４２の第１端部１４２ａから高輝度の光を発する場合に、発光部１４２に流れる電流密度を大きくする必要がない。したがって、発光部１４２の寿命を長くすることができる。
【００３３】
図４に示す例によれば、発光装置２０の歩留まりを高くすることができる。具体的には、図４に示す例においては、発光部１４２から発せられた光は、発光部１４２の第１端部１４２ａから出射される。したがって、発光部１４２に欠陥（例えば、ダークスポット）が存在しても、第１端部１４２ａから出射される光の特性は欠陥による影響を受けにくい。したがって、発光装置２０の歩留まりを高くすることができる。
【００３４】
図４に示す例によれば、発光装置２０の製造プロセスに用いられる光（例えば、紫外線）による発光部１４２の劣化を抑えることができる。具体的には、図４に示す例においては、発光部１４２は、第１端部１４２ａを除いて、反射部（第１反射部２１２、第２反射部２１４及び第３反射部２１６）に覆われている。したがって、発光装置２０の製造プロセスに用いられる光（例えば、紫外線）が発光部１４２に照射されにくい。したがって、発光装置２０の製造プロセスに用いられる光（例えば、紫外線）による発光部１４２の劣化を抑えることができる。
【００３５】
図４に示す例によれば、フォトルミネッセンス（ＰＬ）により光を発する材料を発光部１４２内に設けても、この材料が不要な光を発することを抑えることができる。具体的には、図４に示す例においては、発光部１４２は、第１端部１４２ａを除いて、反射部（第１反射部２１２、第２反射部２１４及び第３反射部２１６）に覆われている。したがって、ＰＬにより光を発する材料を発光部１４２内に設けても、この材料が発光装置２０の外部からの光によって光を発することを抑えることができる。したがって、ＰＬにより光を発する材料が不要な光を発することを抑えることができる。
【００３６】
図５は、図１から図３に示した発光装置２０の製造方法の一例を説明するための図である。
【００３７】
まず、基板１００の第１面１０２側に発光部１４２及び反射部２１０を形成する。反射部２１０は、第１反射部２１２、第２反射部２１４及び第３反射部２１６を有している。第１反射部２１２は、発光部１４２の面１４２ｅを覆っている。第２反射部２１４は、発光部１４２の面１４２ｆを覆っている。第３反射部２１６は、面１４２ｅと面１４２ｆの間の端部を発光部１４２の全周に亘って覆っている。
【００３８】
次いで、基板１００を図５内の破線に沿ってスクライブする。基板１００のスクライブによって複数の発光部材１０（例えば、図２）が得られる。この工程では、発光部１４２の一部及び反射部２１０の一部を除去するように基板１００をスクライブする。この工程によって、発光部１４２の第１端部１４２ａ（例えば、図２）が反射部２１０から露出する。この工程によれば、発光部１４２の第１端部１４２ａ（例えば、図２）は、基板１００の第１端面１０６ａ（例えば、図２）と実質的に同一面に揃う。
【００３９】
次いで、スクライブによって得られた複数の発光部材１０を積み重ねる。隣り合う発光部材１０は、例えば、接着剤によって互いに接合させることができる。
【００４０】
このようにして、図１から図３に示した発光装置２０が製造される。
【００４１】
上述した方法によれば、各発光部材１０の基板１００は、共通の基板（図５に示した基板１００）から構成される。したがって、隣り合う発光部材１０（例えば、図２）においては、一方の基板１００のうちの第１面１０２から第２面１０４までの厚さは、もう一方の基板１００のうちの第１面１０２から第２面１０４までの厚さと実質的に等しくなる。
【００４２】
本実施形態の説明から明らかなように、隣り合う発光部材１０（例えば、図２）においては、一方の基板１００のうちの第１面１０２から第２面１０４までの厚さがもう一方の基板１００のうちの第１面１０２から第２面１０４までの厚さと異なっていても、透光性を有するＯＬＥＤは実現される。つまり、複数の発光部材１０は、異なる厚さを有する異なる基板から構成されていてもよい。
【００４３】
図６は、図２に示した発光装置２０の使用方法の一例を説明するための図である。
【００４４】
発光装置２０は、基材Ｂに取り付けられている。基材Ｂは、透光性を有している。基材Ｂは、例えば、ガラス板である。基材Ｂは、面Ｓ１及び面Ｓ２を有している。面Ｓ２は、面Ｓ１の反対側にある。発光装置２０は、各基板１００の第１端面１０６ａが基材Ｂの面Ｓ１に対向するように基材Ｂに取り付けられている。
【００４５】
複数の基板１００のそれぞれの第１端面１０６ａは、実質的に同一面に揃っている。したがって、基材Ｂの面Ｓ１に沿って発光装置２０を取り付けることができる。図４に示す例では、複数の基板１００のそれぞれの第１端面１０６ａは、第１方向（Ｘ方向）に対して実質的に垂直になっている。
【００４６】
図６において黒矢印で示すように、発光部１４２の第１端部１４２ａからは光が出射される。この光は、基材Ｂの面Ｓ１に入射し、基材Ｂを透過して、基材Ｂの面Ｓ２から出射される。図４に示す例では、複数の基板１００のそれぞれの第１端面１０６ａは、第１方向（Ｘ方向）に対して実質的に垂直になっている。したがって、発光部１４２の第１端部１４２ａから出射された光は、基材Ｂのうちの面Ｓ１から面Ｓ２までの厚さに沿う方向に基材Ｂから出射される。
【００４７】
図７は、図２の第１の変形例を示す図である。
【００４８】
隣り合う基板１００において、一方の基板１００の第１端面１０６ａは、第１方向（Ｘ方向）において、もう一方の基板１００の第１端面１０６ａとずれている。図７に示す例では、発光装置２０は、発光部材１０ａ、発光部材１０ｂ、発光部材１０ｃ、発光部材１０ｄ、発光部材１０ｅ、発光部材１０ｆ及び発光部材１０ｇを順に含んでいる。発光部材１０ｄの第１端面１０６ａは、複数の発光部材１０の中で第１方向（Ｘ方向）において最も突出している。各発光部材１０の第１端面１０６ａは、発光部材１０ｃ、発光部材１０ｂ及び発光部材１０ａに向かうにつれて発光部材１０ｄの第１端面１０６ａとは反対側に向けてずれており、発光部材１０ｅ、発光部材１０ｆ及び発光部材１０ｇに向かうにつれて発光部材１０ｄの第１端面１０６ａとは反対側に向けてずれている。
【００４９】
図８は、図７に示した発光装置２０の使用方法の一例を説明するための図である。図８に示す例は、以下の点を除いて、図６に示した例と同様である。
【００５０】
基材Ｂは、面Ｓ１から面Ｓ２に向かう方向に凸に湾曲している。上述したように、隣り合う基板１００の第１端面１０６ａは、第１方向（Ｘ方向）において、互いにずれている。したがって、複数の基板１００を面Ｓ１の湾曲に沿って配置することができる。
【００５１】
図９は、図２の第２の変形例を示す図である。
【００５２】
各基板１００の第１端面１０６ａは、第１方向（Ｘ方向）に対して斜めに傾いている。図９に示す例では、隣り合う基板１００において、一方の基板１００の第１端面１０６ａは、もう一方の基板１００の第１端面１０６ａと実質的に同一面に揃うように第１方向（Ｘ方向）に対して斜めに傾いている。
【００５３】
図１０は、図９に示した発光装置２０の使用方法の一例を説明するための図である。図１０に示す例は、以下の点を除いて、図６に示した例と同様である。
【００５４】
基材Ｂの面Ｓ１及び面Ｓ２は、基準方向（図内のＸ方向）から斜めに傾いている。上述したように、複数の基板１００の第１端面１０６ａは、実質的に同一面に揃うように第１方向（Ｘ方向）に対して斜めに傾いている。したがって、発光装置２０を基材Ｂの面Ｓ１に沿って設けても、発光部１４２の第１端部１４２ａから発せられる光を上述した基準方向（図内のＸ方向）に沿って出射させることができる。
【００５５】
一例において、基準方向は、水平方向にすることができる。この例においては、基材Ｂは、水平方向（基準方向）から斜めに傾いている。基材Ｂが水平方向（基準方向）から傾いていても、発光装置２０からの光を水平方向（基準方向）に沿って出射させることができる。
【００５６】
他の例において、基準方向は、自動車の移動方向にすることができる。この例においては、基材Ｂは、自動車のリアウインドウにすることができる。基材Ｂ（リアウインドウ）は、自動車の移動方向に対して斜めに傾いている。基材Ｂが自動車の移動方向（基準方向）から傾いていても、発光装置２０からの光を自動車の移動方向（基準方向）に沿って出射させることができる。
【００５７】
図１１は、複数の発光部１４２の平面レイアウトの第１例を示す図である。
【００５８】
発光部材１０は、複数の発光部１４２を備えている。複数の発光部１４２は、第１方向（Ｘ方向）に交わる方向（Ｙ方向）に並んでいる。各発光部１４２は、第１端部１４２ａを除いて、第３反射部２１６に覆われている。各発光部１４２の第１端部１４２ａは、同じ方向を向いている。したがって、図１１において黒矢印で示すように、基板１００の第１端面１０６ａから同じ方向に向けて各発光部１４２からの光が出射される。複数の発光部１４２は、同じ色の光を発してもよいし、又は異なる色の光を発してもよい。特に複数の発光部１４２のうちの一つは赤色（Ｒ）の光を発し、複数の発光部１４２のうちのもう一つは緑色（Ｇ）の光を発し、複数の発光部１４２のうちのさらにもう一つは青色（Ｂ）の光を発してもよい。
【００５９】
各発光部材１０がｍ個の発光部１４２を備え、かつ、ｎ個の発光部材１０が積み重ねられるとき、発光装置２０は、ｍ×ｎの位置（第１端部１４２ａ）から光を出射することができる。
【００６０】
図１２は、複数の発光部１４２の平面レイアウトの第２例を示す図である。
【００６１】
発光部材１０は、基板１００の第１端面１０６ａに沿って配置された発光部１４２及び基板１００の第２端面１０６ｂに沿って配置されて発光部１４２を備えている。図１２に示す例では、複数の発光部１４２が基板１００の第１端面１０６ａに沿って配置されており、複数の発光部１４２が基板１００の第２端面１０６ｂに沿って配置されている。第１端面１０６ａに沿って配置された発光部１４２は、第１端面１０６ａに沿って第１端部１４２ａを有しており、第２端面１０６ｂに沿って配置された発光部１４２は、第２端面１０６ｂに沿って第１端部１４２ａを有している。図１２において黒矢印で示すように、第１端面１０６ａに沿って配置された発光部１４２は、第１端面１０６ａから光を出射し、第２端面１０６ｂに沿って配置された発光部１４２は、第２端面１０６ｂから光を出射する。したがって、発光装置２０は、異なる方向に向けて（図１２に示す例では、互いに反対の２方向に向けて）光を発することができる。
【００６２】
図１３は、複数の発光部１４２の平面レイアウトの第３例を示す図である。
【００６３】
発光部材１０は、基板１００の第１端面１０６ａに沿って配置された発光部１４２、基板１００の第３端面１０６ｃに沿って配置された発光部１４２及び基板１００の第４端面１０６ｄに沿って配置された発光部１４２を備えている。第１端面１０６ａに沿って配置された発光部１４２は、第１端面１０６ａに沿って第１端部１４２ａを有しており、第３端面１０６ｃに沿って配置された発光部１４２は、第３端面１０６ｃに沿って第１端部１４２ａを有しており、第４端面１０６ｄに沿って配置された発光部１４２は、第４端面１０６ｄに沿って第１端部１４２ａを有している。図１３において黒矢印で示すように、第１端面１０６ａに沿って配置された発光部１４２は、第１端面１０６ａから光を出射し、第３端面１０６ｃに沿って配置された発光部１４２は、第３端面１０６ｃから光を出射し、第４端面１０６ｄに沿って配置された発光部１４２は、第４端面１０６ｄから光を出射する。したがって、発光装置２０は、異なる方向に向けて（図１３に示す例では、３方向に向けて）光を発することができる。
【００６４】
図１４は、発光部１４２、第１反射部２１２及び第２反射部２１４の詳細の第１例を説明するための図である。
【００６５】
発光部材１０は、第１電極１１０、有機層１２０及び第２電極１３０を備えている。
【００６６】
第１電極１１０は、アノード及びカソードの一方であり、図１４に示す例では、第１反射部２１２となっている。つまり、第１電極１１０は、光反射性を有する導電材料からなっている。
【００６７】
第２電極１３０は、アノード及びカソードのもう一方であり、図１４に示す例では、第２反射部２１４となっている。つまり、第２電極１３０は、光反射性を有する導電材料からなっている。
【００６８】
一例において、光反射性を有する導電材料は、Ａｌ、Ａｕ、Ａｇ、Ｐｔ、Ｍｇ、Ｓｎ、Ｚｎ及びＩｎからなる群の中から選択される金属又はこの群から選択される金属の合金とすることができる。第２電極１３０は、第１電極１１０と同一の材料からなっていてもよいし、又は第１電極１１０と異なる材料からなっていてもよい。
【００６９】
有機層１２０は、発光層（ＥＭＬ）を含んでおり、正孔注入層（ＨＩＬ）、正孔輸送層（ＨＴＬ）、電子輸送層（ＥＴＬ）及び電子注入層（ＥＩＬ）のうちの少なくとも１つを適宜含んでいてもよい。有機層１２０のＥＭＬは、第１電極１１０と第２電極１３０の間の電圧によって、有機エレクトロルミネッセンス（ＥＬ）により光を発生させる。
【００７０】
有機層１２０から発生した光は、第１電極１１０（第１反射部２１２）及び第２電極１３０（第２反射部２１４）によって反射されて、有機層１２０内を第１端部１４２ａに向けて伝搬する。
【００７１】
図１５は、発光部１４２、第１反射部２１２及び第２反射部２１４の詳細の第２例を説明するための図である。図１５に示す例は、以下の点を除いて、図１４に示した例と同様である。
【００７２】
第１電極１１０は、光透過性を有する導電材料からなっている。発光部材１０は、基板１００と第１電極１１０の間に第１反射部２１２を備えている。第２電極１３０は、図１４に示した例と同様にして、第２反射部２１４となっている。
【００７３】
一例において、光透過性を有する導電材料は、金属酸化物（例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ））、カーボンナノチューブ、ＰＥＤＯＴ／ＰＳＳ又は光透過性を有するように薄膜化された金属（例えば、アルミニウム）とすることができる。
【００７４】
有機層１２０から発生した光は、第１反射部２１２及び第２電極１３０（第２反射部２１４）によって反射されて、第１電極１１０内及び有機層１２０内を第１端部１４２ａに向けて伝搬する。
【００７５】
図１６は、発光部１４２、第１反射部２１２及び第２反射部２１４の詳細の第３例を説明するための図である。
【００７６】
発光部材１０は、導波路３００を備えている。導波路３００は、第１電極１１０、有機層１２０及び第２電極１３０の積層構造と第２反射部２１４の間に位置している。導波路３００の一端は、発光部１４２の第１端部１４２ａであり、図２に示したように、第３反射部２１６に覆われていない。導波路３００は、複数の層、すなわち、コア層３１０（第１層）、クラッド層３２２（第２層）及びクラッド層３２４（第３層）を含んでいる。コア層３１０は、第１屈折率を有している。クラッド層３２２は、第１屈折率より低い屈折率を有している。クラッド層３２４は、第１屈折率より低い屈折率を有している。コア層３１０は、クラッド層３２２とクラッド層３２４の間にある。図１６に示す例では、クラッド層３２２は、第１反射部２１２側に位置しており、クラッド層３２４は、第２反射部２１４側に位置している。
【００７７】
上述した構成によれば、有機層１２０から発生した光を発光部１４２の第１端部１４２ａに向けて確実に伝搬させることができる。具体的には、有機層１２０から発生した光は、導波路３００に入射する。仮に、有機層１２０から発生した光が導波路３００とは反対側に向かっても、第１反射部２１２によって導波路３００に向けて反射される。導波路３００に入射した光は、コア層３１０、クラッド層３２２及びクラッド層３２４の屈折率によってコア層３１０に閉じ込められて、発光部１４２の第１端部１４２ａに向けて伝搬される。仮に、クラッド層３２４から一部の光が漏れても、この光は第２反射部２１４によって導波路３００に戻される。したがって、有機層１２０から発生した光を発光部１４２の第１端部１４２ａに向けて確実に伝搬させることができる。
【００７８】
図１６に示す例においては、第１電極１１０及び第２電極１３０は、光透過性を有する導電材料からなっている。第２電極１３０は、第１電極１１０と同一の材料からなっていてもよいし、又は第１電極１１０と異なる材料からなっていてもよい。
【００７９】
図１７は、発光部１４２、第１反射部２１２及び第２反射部２１４の詳細の第４例を説明するための図である。図１７に示す例は、以下の点を除いて、図１６に示した例と同様である。
【００８０】
導波路３００は、第１電極１１０、有機層１２０及び第２電極１３０の積層構造と第１反射部２１２の間に位置している。図１７に示す例においても、図１６に示した例と同様にして、有機層１２０から発生した光を発光部１４２の第１端部１４２ａに向けて確実に伝搬させることができる。
【００８１】
図１８は、第３反射部２１６の詳細の一例を説明するための図である。
【００８２】
発光部材１０は、誘電体ミラー層２２０を備えている。誘電体ミラー層２２０は、第１反射部２１２、発光部１４２及び第２反射部２１４の積層構造の表面及び側面を覆っている。第３反射部２１６は、誘電体ミラー層２２０の一部分であり、第１反射部２１２、発光部１４２及び第２反射部２１４の積層構造の側面（発光部１４２の第２端部１４２ｂ）を覆う部分である。
【００８３】
誘電体ミラー層２２０を用いることで、発光部１４２内のアノード及びカソードの短絡を防ぐことができる。具体的には、第３反射部２１６が仮に導電性を有しており、発光部１４２内のアノード及びカソードが第３反射部２１６に接していると、アノード及びカソードが第３反射部２１６を介して電気的に接続する。これに対して、誘電体ミラー層２２０が用いられると、仮に発光部１４２内のアノード及びカソードが誘電体ミラー層２２０に接しても、アノード及びカソードは誘電体ミラー層２２０を介して電気的に接続しない。したがって、発光部１４２内のアノード及びカソードの短絡を防ぐことができる。
【００８４】
図１９は、第３反射部２１６の第１部分２１６ａの詳細の一例を説明するための図である。
【００８５】
第３反射部２１６の第１部分２１６ａは、反射面２３２ａ及び反射面２３２ｂを有している。反射面２３２ａ及び反射面２３２ｂは、発光部１４２の第２端部１４２ｂを覆っている。反射面２３２ａ及び反射面２３２ｂは、角度θで交わっている。
【００８６】
一例において、角度θは、９０°より大きくすることができる。この例においては、図１９内において黒矢印で示すように、図内のＸ方向に沿って反射面２３２ａに入射する光が第３反射部２１６の反対側に向けて反射される（図内のＸ方向に沿って反射面２３２ｂに入射する光も第３反射部２１６の反対側に向けて反射される。）。したがって、反射面２３２ａと反射面２３２ｂの間に光が閉じ込められることを防ぐことができる。さらに、上述した例においては、図１９内において黒矢印で示すように、図内のＺ方向に沿って反射面２３２ａに入射する光は、反射面２３２ａに大きな入射角で入射する（図内のＺ方向に沿って反射面２３２ｂに入射する光は、反射面２３２ｂに大きな入射角で入射する。）。したがって、第３反射部２１６の第１部分２１６ａが例えば図１８に示したように誘電体ミラー層２２０によって構成されていても、図内のＺ方向に沿って反射面２３２ａ又は反射面２３２ｂに入射する光を全反射によって反射させることができる。
【００８７】
図２０は、隣り合う基板１００の間の構造の詳細の第１例を説明するための図である。
【００８８】
図２０に示す例では、隣り合う基板１００の間に、封止層４１０、接着層４２０及び箔４３０が設けられている。
【００８９】
封止層４１０は、第１反射部２１２、発光部１４２及び第２反射部２１４の積層構造を覆っている。封止層４１０は、一又は複数の無機層を含んでいる。無機層は、例えば、ＡＬＤ（Ａｔｏｍｉｃ  Ｌａｙｅｒ  Ｄｅｐｏｓｉｔｉｏｎ）によって形成されている。発光部１４２を劣化させ得る物質（例えば、水又は酸素）の侵入を封止層４１０によって抑えることができる。
【００９０】
接着層４２０は、箔４３０を接着させるために設けられている。
【００９１】
箔４３０は、封止部材及び放熱部材として機能している。箔４３０は、封止部材の観点から水蒸気透過率及び酸素透過率が低く、かつ放熱部材の観点から熱伝導率が高い材料からなるようにすることができ、例えば、金属、より具体的にはアルミニウムからなるようにすることができる。
【００９２】
図２１は、隣り合う基板１００の間の構造の詳細の第２例を説明するための図である。
【００９３】
図２１に示す例では、隣り合う基板１００の間に、導電材料５１２及び導電材料５１４が設けられている。
【００９４】
導電材料５１２は、第１反射部２１２、発光部１４２及び第２反射部２１４の積層構造と第１反射部２１２側の基板１００の間に位置している。一例において、導電材料５１２は、基板１００の第１面１０２上の配線である。この例においては、導電材料５１２が遮光性を有する材料（例えば、金属、特に、アルミニウム）から構成されていても、図４に示した例におけるＸ方向における発光装置２０の透過率がほとんど影響を受けないようにすることができる。
【００９５】
導電材料５１４は、第１反射部２１２、発光部１４２及び第２反射部２１４の積層構造と第２反射部２１４側の基板１００の間に位置している。一例において、導電材料５１４は、発光部１４２内の電極（例えば、図１５に示した第２電極１３０）に接続している。この例においては、導電材料５１４が遮光性を有する材料（例えば、金属）から構成されていても、図４に示した例におけるＸ方向における発光装置２０の透過率がほとんど影響を受けないようにすることができる。
【００９６】
図２２は、図１の第１の変形例を示す図である。
【００９７】
図２２に示す例では、反射面２３２と反射面２３４の間の角が発光部１４２の外側に向けて凸に湾曲しており、反射面２３２と反射面２３６の間の角が発光部１４２の外側に向けて凸に湾曲している。
【００９８】
上述した構成によれば、多くの光を第３反射部２１６によって発光部１４２の第１端部１４２ａに向けて反射させることができる。具体的には、上述した構成においては、図２２において黒矢印で示すように、図内のＹ方向に沿って反射面２３２と反射面２３４の間の角に入射した光を発光部１４２の第１端部１４２ａに向けて反射させることができる（図内のＹ方向に沿って反射面２３２と反射面２３６の間の角に入射した光も発光部１４２の第１端部１４２ａに向けて反射させることができる。）。したがって、反射面２３２と反射面２３４の間の角及び反射面２３２と反射面２３６の間の角によっても光を発光部１４２の第１端部１４２ａに向けて反射させることができる。したがって、多くの光を第３反射部２１６によって発光部１４２の第１端部１４２ａに向けて反射させることができる。
【００９９】
図２３は、図１の第２の変形例を示す図である。
【０１００】
図２３に示す例では、反射面２３４及び反射面２３６は、反射面２３４と反射面２３６の間の間隔が発光部１４２の第１端部１４２ａに向かうにつれて広がるように、基板１００の第１端面１０６ａに対して斜めに傾いている。
【０１０１】
上述した構成によれば、多くの光を第３反射部２１６によって発光部１４２の第１端部１４２ａに向けて基板１００の第１端面１０６ａに直交する方向（図内のＸ方向）に沿って反射させることができる。具体的には、上述した構成においては、図２３において黒矢印で示すように、基板１００の第１端面１０６ａに直交する方向（図内のＸ方向）に沿って反射面２３４によって光を反射させることができる（反射面２３６によっても、基板１００の第１端面１０６ａに直交する方向（図内のＸ方向）に沿って光を反射させることができる。）。したがって、多くの光を第３反射部２１６によって発光部１４２の第１端部１４２ａに向けて基板１００の第１端面１０６ａに直交する方向（図内のＸ方向）に沿って反射させることができる。
【０１０２】
図２４は、図１の第３の変形例を示す図である。
【０１０３】
図２４に示す例では、第３反射部２１６は、反射面２３２を有している。反射面２３２は、基板１００の第２端面１０６ｂに向けて凸に湾曲している。発光部１４２の第２端部１４２ｂも、第３反射部２１６の反射面２３２に沿って湾曲している。
【０１０４】
上述した構成によれば、多くの光を第３反射部２１６によって発光部１４２の第１端部１４２ａに向けて基板１００の第１端面１０６ａに直交する方向（図内のＸ方向）に沿って反射させることができる。具体的には、上述した構成においては、図２４において黒矢印で示すように、様々な方向から反射面２３２に入射した光を基板１００の第１端面１０６ａに直交する方向（図内のＸ方向）に沿って反射させることができる。したがって、多くの光を第３反射部２１６によって発光部１４２の第１端部１４２ａに向けて基板１００の第１端面１０６ａに直交する方向（図内のＸ方向）に沿って反射させることができる。
【０１０５】
図２５は、図１の第４の変形例を示す図である。
【０１０６】
図２５に示す例では、基板１００の第１端面１０６ａが基板１００の外側に向けて凸に湾曲している。発光部１４２の第１端部１４２ａも基板１００の第１端面１０６ａに沿って湾曲している。図２５に示す発光部材１０は、図５に示した工程において、基板１００の第１端面１０６ａが湾曲するように基板１００をスクライブすることで形成される。
【０１０７】
図２６は、図２５に示した発光部材１０の使用方法の一例を説明するための図である。
【０１０８】
発光装置２０は、各基板１００の第１端面１０６ａが基材Ｂの面Ｓ１に対向するように基材Ｂに取り付けられている。基材Ｂは、面Ｓ１から面Ｓ２に向かう方向に凸に湾曲している。上述したように、基板１００の第１端面１０６ａは、基板１００の外側に向けて凸に湾曲している。したがって、基材Ｂの面Ｓ１に沿って基板１００の第１端面１０６ａを配置することができる。
【０１０９】
基板１００の第１端面１０６ａが図２５に示したように湾曲し、かつ、複数の基板１００のそれぞれの第１端面１０６ａが図８に示したように互いにずれている場合、基材Ｂの面Ｓ１が球面状に湾曲していても、発光装置２０を基材Ｂの面Ｓ１に沿って配置することができる。
【０１１０】
以上、本実施形態によれば、透光性を有するＯＬＥＤが新規な構造によって実現される。
【０１１１】
以上、図面を参照して実施形態及び実施例について述べたが、これらは本発明の例示であり、上記以外の様々な構成を採用することもできる。
【符号の説明】
【０１１２】
１０  発光部材
１０ａ  発光部材
１０ｂ  発光部材
１０ｃ  発光部材
１０ｄ  発光部材
１０ｅ  発光部材
１０ｆ  発光部材
１０ｇ  発光部材
２０  発光装置
１００  基板
１０２  第１面
１０４  第２面
１０６ａ  第１端面
１０６ｂ  第２端面
１０６ｃ  第３端面
１０６ｄ  第４端面
１１０  第１電極
１２０  有機層
１３０  第２電極
１４２  発光部
１４２ａ  第１端部
１４２ｂ  第２端部
１４２ｃ  第３端部
１４２ｄ  第４端部
１４２ｅ  面
１４２ｆ  面
１４４  透光部
２１０  反射部
２１２  第１反射部
２１４  第２反射部
２１６  第３反射部
２１６ａ  第１部分
２１６ｂ  第２部分
２１６ｃ  第３部分
２２０  誘電体ミラー層
２３２  反射面
２３２ａ  反射面
２３２ｂ  反射面
２３４  反射面
２３６  反射面
３００  導波路
３１０  コア層
３２２  クラッド層
３２４  クラッド層
Ｂ  基材
Ｓ１  面
Ｓ２  面
【図１】
2019079732.tif 000003
【図２】
2019079732.tif 000004
【図３】
2019079732.tif 000005
【図４】
2019079732.tif 000006
【図５】
2019079732.tif 000007
【図６】
2019079732.tif 000008
【図７】
2019079732.tif 000009
【図８】
2019079732.tif 000010
【図９】
2019079732.tif 000011
【図１０】
2019079732.tif 000012
【図１１】
2019079732.tif 000013
【図１２】
2019079732.tif 000014
【図１３】
2019079732.tif 000015
【図１４】
2019079732.tif 000016
【図１５】
2019079732.tif 000017
【図１６】
2019079732.tif 000018
【図１７】
2019079732.tif 000019
【図１８】
2019079732.tif 000020
【図１９】
2019079732.tif 000021
【図２０】
2019079732.tif 000022
【図２１】
2019079732.tif 000023
【図２２】
2019079732.tif 000024
【図２３】
2019079732.tif 000025
【図２４】
2019079732.tif 000026
【図２５】
2019079732.tif 000027
【図２６】
2019079732.tif 000028